(57)【特許請求の範囲】
【請求項１】
前端に回転可能にボールを抱持し且つ内部に逆流防止機構を備えたチップ本体と、該チップ本体の後部外面を圧入保持するホルダーとからなるボールペンであって、
前記チップ本体の前端に、内向きの前端縁部と、該前端縁部の後方に内方への押圧変形により形成したボール受け座用の複数の内方突起とによりボールを回転可能に抱持し、前記ホルダーの前端部の内面に、前記チップ本体が圧入される取付孔を設け、前記取付孔より後方の前記ホルダーの内面に環状段部を形成し、前記逆流防止機構が、前記チップ本体内の内方突起の後方に前後に移動可能に収容したボール弁と、前記内方突起の後面に形成した、ペン先下向き時に前記ボール弁の前方移動を規制する規制部と、前記環状段部の前面に形成した、ペン先上向き時に前記ボール弁が環状に密接可能な弁座部とからなることを特徴とするボールペン。
【請求項２】
前記ボール弁の直径を、前記内方突起の頂点に接する仮想内接円の直径より大きく、且つ、前記内方突起より後方のチップ本体の内径より小さく、且つ、前記環状段部の内径より大きく設定した請求項１記載のボールペン。
【発明の詳細な説明】
【技術分野】
【０００１】
本発明は、ボールペンに関する。詳細には、前端に回転可能にボールを抱持し且つ内部に逆流防止機構を備えたチップ本体と、該チップ本体の後部外面を圧入保持するホルダーとからなるボールペンに関する。
【背景技術】
【０００２】
従来、この種のボールペンにおいて、例えば、特許文献１には、ボールペンチップの後端付近を外方から複数箇所を押圧変形させて内方突出部を設け、前記ボールペンチップの後端部分を内側にカシメ加工して後端カシメ部を形成し、前記内方突出部と後端カシメ部との間に逆流防止ボールを挿入し、チップ本体内に逆流防止機構を設けた構成が開示されている。
【先行技術文献】
【特許文献】
【０００３】
【特許文献１】特開２００７−３１３８１８号公報
【発明の概要】
【発明が解決しようとする課題】
【０００４】
前記従来のボールペンは、チップ本体内に逆流防止機構を設けるために、チップ本体の後端付近に内方突出部を形成する押圧変形加工と、チップ本体の後端に後端カシメを形成するカシメ加工とを必要とすることから、製造工程が複雑となり、コスト上昇につながる。
【０００５】
本発明は、前記従来の問題点を解決するものであって、簡易な製造工程で逆流防止機構を設けることができ、コストの上昇を抑えることができるボールペンを提供しようとするものである。
【課題を解決するための手段】
【０００６】
＜１＞本願の第１の発明は、前端に回転可能にボール２１を抱持し且つ内部に逆流防止機構４を備えたチップ本体２と、該チップ本体２の後部外面を圧入保持するホルダー３とからなるボールペンであって、前記チップ本体２の前端に、内向きの前端縁部２２と、該前端縁部２２の後方に内方への押圧変形により形成したボール受け座用の複数の内方突起２３とによりボール２１を回転可能に抱持し、前記ホルダー３の前端部の内面に、前記チップ本体２が圧入される取付孔３２を設け、前記取付孔３２より後方の前記ホルダー３の内面にインキ流通孔３３を備えた環状段部３１を形成し、前記逆流防止機構４が、前記チップ本体２内の内方突起２３の後方に前後に移動可能に収容したボール弁４１と、前記内方突起２３の後面に形成した、ペン先下向き時に前記ボール弁４１の前方移動を規制する規制部４２と、前記環状段部３１の前面に形成した、ペン先上向き時に前記ボール弁４１が環状に密接可能な弁座部４３とからなることを要件とする。
【０００７】
前記第１の発明のボールペン１は、逆流防止機構４が、前記チップ本体２内の内方突起２３の後方に前後に移動可能に収容したボール弁４１と、前記内方突起２３の後面に形成した、ペン先下向き時に前記ボール弁４１の前方移動を規制する規制部４２と、前記環状段部３１の前面に形成した、ペン先上向き時に前記ボール弁４１が環状に密接可能な弁座部４３とからなることにより、チップ本体２内に逆流防止機構４の規制部４２や弁座部４３を設けるためのみの特別な押圧変形加工やカシメ加工等が不要となり、簡易な製造工程で逆流防止機構４を設けることができる。その結果、製造コストの上昇を抑えることができる。
【０００８】
＜２＞本願の第２の発明は、前記第１の発明のボールペン１において、前記ボール弁４１の直径を、前記内方突起２３の頂点に接する仮想内接円の直径より大きく、且つ、前記内方突起２３より後方のチップ本体２の内径より小さく、且つ、前記環状段部３１の内径より大きく設定したことを要件とする。
【０００９】
前記第２の発明のボールペン１は、ボール弁４１の直径を、内方突起２３の頂点に接する仮想内接円の直径より大きく設定したことにより、内方突起２３の後面に、前方移動したボール弁４１が当接可能な規制部４２を確実に形成できる。また、前記第２の発明のボールペン１は、ボール弁４１の直径を、内方突起２３より後方のチップ本体２の内径より小さく設定したことにより、ボール弁４１をチップ本体２内部で確実に移動させることができる。また、前記第２の発明のボールペン１は、ボール弁４１の直径を、環状段部３１の内径より大きく設定したことにより、後方移動したボール弁４１が密接可能な弁座部４３を確実に形成することができる。
【００１０】
尚、本発明において、前記ボール弁４１はペン先のボール２１より僅かに小さく設定されることが好ましい。それにより、内方突起２３の後方のチップ本体２内をボール弁４１がスムーズに移動することできる。
【００１１】
尚、本発明において、前記ボール弁４１の比重は、インキの比重より大きく設定される。それにより、ペン先の上下の向きに応じてボール弁４１を重力により確実にインキ中を下降させることができるとともに、インキ流通路を大きく確保できる。
【発明の効果】
【００１２】
本発明のボールペンは、簡易な製造工程で逆流防止機構を設けることができる。
【図面の簡単な説明】
【００１３】
【図１】本発明の第１の実施の形態のペン先下向き時の要部拡大縦断面図である。
【図２】図１のペン先上向き時の要部拡大縦断面図である。
【図３】本発明の第１の実施の形態のペン先下向き時の縦断面図である。
【発明を実施するための形態】
【００１４】
図１乃至図３に本発明の実施の形態を示す。
本実施の形態のボールペン１は、チップ本体２と、該チップ本体２の後端部外面が圧入固着されるホルダー３と、該ホルダー３の後端部が圧入固着されるインキ収容管５とからなる。前記インキ収容管５内には、インキ５１と、該インキ５１の消費に伴い前進する追従体５２（例えば高粘度流体）とが収容される。尚、本実施の形態では、ホルダー３とインキ収容管５とを別部材により構成したが、ホルダー３とインキ収容管５とを一体に連設された１部材で構成してもよい。
【００１５】
前記チップ本体２は、前端にボール２１を回転可能に抱持した金属製（例えばステンレス鋼製）の筒体からなる。前記チップ本体２の前端には、環状の押圧変形により内向きの前端縁部２２が形成される。前記チップ本体２の前端近傍（前端縁部２２の後方）には、内方への押圧変形により複数（例えば３個または４個）の内方突起２３が形成される。前記内方突起２３の前面がボール受け座２３ａとなる。前記前端縁部２２と内方突起２３の前面との間でペン先用のボール２１が回転可能に抱持される。
【００１６】
前記ホルダー３の前端部内面には、軸方向に延びる取付孔３２と、該取付孔３２に連通するインキ流通孔３３とが形成される。前記取付孔３２より後方のホルダー３内面（インキ流通孔３３の内面）には、環状段部３１が一体に形成される。
【００１７】
・逆流防止機構
前記チップ本体２内部には、逆流防止機構４が設けられる。前記逆流防止機構４は、前記チップ本体２内の内方突起２３の後方に前後に移動可能に収容したボール弁４１と、前記内方突起２３の後面に形成した、ペン先下向き時に前記ボール弁４１の前方移動を規制する規制部４２と、前記環状段部３１の前面に形成した、ペン先上向き時に前記ボール弁４１が環状に密接可能な傾斜面状の弁座部４３とからなる。
【００１８】
本実施の形態のボールペン１は、ペン先下向き時、ボール弁４１が前方移動（下方移動）し、ボール弁４１が複数の内方突起２３よりなる規制部４２に当接され、ボール弁４１の前方移動が阻止される。前記規制部４２が複数の内方突起２３からなるため、チップ本体２内のインキが内方突起２３の相互間のインキ流通間隙を通ってペン先のボール２１に確実に供給できる。また、本実施の形態のボールペン１は、ペン先上向き時、ボール弁４１が後方移動（下方移動）し、ボール弁４１が弁座部４３に環状に密接され、インキの逆流が防止される。
【００１９】
本実施の形態のボールペン１は、逆流防止機構４が、前記チップ本体２内の内方突起２３の後方に前後に移動可能に収容したボール弁４１と、前記内方突起２３の後面に形成した、ペン先下向き時に前記ボール弁４１の前方移動を規制する規制部４２と、前記環状段部３１の前面に形成した、ペン先上向き時に前記ボール弁４１が環状に密接可能な弁座部４３とからなることにより、チップ本体２内に逆流防止機構４の規制部４２や弁座部４３を設けるためのみの特別な押圧変形加工やカシメ加工等の工程が不要となり、簡易な製造工程で逆流防止機構４を設けることができる。その結果、コストの上昇を抑えることができる。
【００２０】
本実施の形態のボールペン１において、前記ボール弁４１の直径が、内方突起２３の頂点に接する仮想内接円の直径より大きく設定される。それにより、内方突起２３の後面に前方移動したボール弁４１が当接可能な規制部４２を確実に形成できる。
【００２１】
本実施の形態のボールペン１において、前記ボール弁４１の直径が、前記内方突起２３より後方のチップ本体２の内径より小さく設定される。それにより、ボール弁４１をチップ本体２内部で確実に移動させることができる。
【００２２】
本実施の形態のボールペン１において、前記ボール弁４１の直径が、前記インキ流通孔３３の環状段部３１の内径より大きく設定される。それにより、後方移動したボール弁４１が密接可能な弁座部４３を確実に形成することができる。
【００２３】
本実施の形態のボールペン１において、ボール弁４１の比重は、インキ５１の比重より大きく設定される。具体的には、前記ボール弁４１は、金属またはセラミックから構成される。
【符号の説明】
【００２４】
１  ボールペン
２  チップ本体
２１  ボール
２２  前端縁部
２３  内方突起
２３ａ  ボール受け座
３  ホルダー
３１  環状段部
３２  取付孔
３３  インキ流通孔
４  逆流防止機構
４１  ボール弁
４２  規制部
４３ 弁座部
５  インキ収容管
５１  インキ
５２  追従体
【図１】
0005501936.tif 000002
【図２】
0005501936.tif 000003
【図３】
0005501936.tif 000004